(57)【要約】【課題】  ユーザが簡単な操作をすることによって、インク残量を知ることができ、しかも、インク残量を表示させるために特別なスイッチ等のハードウェアを設ける必要がない画像処理装置および画像処理装置の表示制御方法を提供することを目的とする。【解決手段】  モードを切り替えるモード切替手段と、設定したモードを記憶する設定モード記憶手段と、上記設定モード記憶手段に設定されているモードを表示する表示手段と、画像やテキスト等のデータを印刷する印刷手段と、インクの残量を検知するインク残量検知手段と、上記モード切替手段が、モードを切り替えた際に、上記表示部に設定されているモードと、上記インク残量検知手段が検知したインクの残量とを、上記表示手段に表示させる表示制御手段とを有する画像処理装置である。【選択図】  図１
2005096241.tif 000002
【特許請求の範囲】
【請求項１】
それぞれがスタンバイ状態を持つ複数のモードの間でモードを切り替えるモード切替手段と；
設定したモードを記憶する設定モード記憶手段と；
上記設定モード記憶手段に設定されているモードを表示する表示手段と；
画像やテキスト等のデータを印刷する印刷手段と；
インクの残量を検知するインク残量検知手段と；
上記モード切替手段が、モードを切り替えた際に、上記表示部に設定されているモードと、上記インク残量検知手段が検知したインクの残量とを、上記表示手段に表示させる表示制御手段と；
を有することを特徴とする画像処理装置。
【請求項２】
請求項１において、
上記表示制御手段は、所定のモードが設定されているときに、上記モード設定手段が上記所定のモードを設定すると、上記所定のモードとインクの残量とを再び表示する手段であることを特徴とする画像処理装置。
【請求項３】
請求項１において、
上記表示制御手段は、設定されているモードが、インクを使用しないモードであれば、インク残量を表示しない手段であることを特徴とする画像処理装置。
【請求項４】
それぞれがスタンバイ状態を持つ複数のモードの間でモードを切り替えるモード切替段階と；
設定したモードを記憶する設定モード記憶段階と；
上記設定モード記憶段階で設定されたモードを表示部に表示する表示段階と；
画像やテキスト等のデータを印刷する印刷段階と；
インクの残量を検知するインク残量検知段階と；
上記モード切替段階で、モードを切り替えた際に、上記表示部に設定されているモードと、上記インク残量検知段階で検知されたインクの残量とを、上記表示部に表示させる表示制御段階と；
を有することを特徴とする画像処理装置の表示制御方法。
【請求項５】
請求項４において、
上記表示制御段階は、所定のモードが設定されているときに、上記モード設定段階で上記所定のモードを設定すると、上記所定のモードとインクの残量とを再び表示する段階であることを特徴とする画像処理装置の表示制御方法。
【請求項６】
請求項４において、
上記表示制御段階は、設定されているモードが、インクを使用しないモードであれば、インク残量を表示しない段階であることを特徴とする画像処理装置の表示制御方法。
【発明の詳細な説明】
【技術分野】
【０００１】
本発明は、画像処理装置および画像処理装置の表示制御方法に関する。
【背景技術】
【０００２】
近年、デジタルカメラの普及が急激に広がり、従来は、パソコンの周辺機器であるというイメージであったが、パソコンを持たない家庭等も含めて、デジタルカメラの売上が伸びている。そのため、特に近年、デジタルカメラデータの印刷を、パソコンを介さずに、家庭用プリンタ等で、直接印刷する需要が高まっている。
【０００３】
デジタルカメラが撮影したデータは、ＳＤカード、コンパクトフラッシュ（登録商標）メモリ等のメモリカードに、蓄えられる。家庭にパソコンがある場合は、画像データをパーソナルコンピュータに取り込み、プリンタ等の記録装置で印刷することができる。
【０００４】
一方、パソコンを持たないユーザにおいては、パソコンを介さずに直接印刷する方法として、メモリカード等のデジタル画像を記憶するメディアを記録装置に直接挿入し、装置の操作部からの操作で写真を印刷する方法がとられている。そのため、家庭での写真印刷要求が増え、家庭での印刷需要が増加している状況でもある。
【０００５】
また、家庭向けのローエンド向けプリンタも多く登場している。これらローエンド向けプリンタとして、インクジェット技術を初めとした印刷機が多く売られている。このインクジェット方式等は、印刷でインクを使い、インクがなくなってきた場合は、インク残量を表示等することによって、ユーザにインク残量を示し、交換を促す。
【０００６】
上記のように、家庭での印刷需要が増えてきたことによって、ローエンド向け複合機やプリンタ等においても、印刷需要が増えている。そのために、インクの消費量も増え、ユーザがインクを交換する機会も増えている傾向にある。したがって、インクがなくなっているという情報は、よりユーザにより分かり易く知らせる必要がある。
【０００７】
特に、ローエンドの機械等においては、インク残量が少ない場合が多いので、インクの残量を示すことは、ストレスレスな印刷をユーザに行ってもらうためには、必須であると考えられる。
【０００８】
従来、インクの残量を示す方法としては、既に様々な方法が考えられている。インク残量を表示する従来の方法としては、インク残量を検知し、インク残量を表示する方法（たとえば特許文献１参照）や、複数のインクの残量表示を、単一の表示部に表示する方法（たとえば特許文献２参照）等が知られている。
【０００９】
その表示方法としては、インクジェット方式の機械等は、インクの蒸発等も考慮する必要があるので、正しい値を出すためには、様々な工夫が必要である。インクの残量検知情報を、そのまま出すことは、非常にポピュラーであるが、たとえばそれに加えて、インクの使用頻度情報も加え、そのインクの残量を頻度と含め、インクが減ってきたら、インク残量が減ってきた旨を表示する方法が知られている（たとえば特許文献３参照）。
【００１０】
また、インクの残量を検知するために、センサを搭載し、このセンサが検知した情報に基づいて、インク残量が減っていることを認識できれば、ユーザにインク残量を表示する方法等が知られている（たとえば特許文献４、特許文献５参照）。
【特許文献１】特開平１−１９５０４９号公報
【特許文献２】特開平３−３２８５１号公報
【特許文献３】特開平１０−８６３９９号公報
【特許文献４】特開平９−９８２４５号公報
【特許文献５】特開平９−９４９８１号公報
【発明の開示】
【発明が解決しようとする課題】
【００１１】
しかし、上記従来例では、ローエンド向け複合機や、プリンタ等は、コスト競争がさらに厳しいので、コストをできる限り削減できることが必要とされている。そのために、インク残量の表示についていは、十分なコストをかけることができないというのが実情である。
【００１２】
一方、表示部、装置部にそれほどコストをかけることができない画像処理装置においても、インク残量をユーザに知らせる必要がある。
【００１３】
本発明は、ユーザが簡単な操作をすることによって、インク残量を知ることができ、しかも、インク残量を表示させるために特別なスイッチ等のハードウェアを設ける必要がない画像処理装置および画像処理装置の表示制御方法を提供することを目的とするものである。
【課題を解決するための手段】
【００１４】
本発明は、モードを切り替えるモード切替手段と、設定したモードを記憶する設定モード記憶手段と、上記設定モード記憶手段に設定されているモードを表示する表示手段と、画像やテキスト等のデータを印刷する印刷手段と、インクの残量を検知するインク残量検知手段と、上記モード切替手段が、モードを切り替えた際に、上記表示部に設定されているモードと、上記インク残量検知手段が検知したインクの残量とを、上記表示手段に表示させる表示制御手段とを有する画像処理装置である。
【発明の効果】
【００１５】
本発明によれば、所定のモードを待機している状態であるときに、他のモードへの切り替えキーではなく、上記所定のモードに切り替えるキーを押せば、インク残量が表示されるので、ユーザが簡単な操作をすることによって、インク残量を知ることができるという効果を奏し、しかも、インク残量を表示させるために特別なスイッチ等のハードウェアを設ける必要がないという効果を奏する。
【発明を実施するための最良の形態】
【００１６】
発明を実施するための最良の形態は、以下の実施例である。
【実施例１】
【００１７】
図１は、本発明の実施例１である画像処理装置１００の概略構成を示すブロック図である。
【００１８】
画像処理装置１００は、ＣＰＵ１０１と、ＲＯＭ１０２と、ＲＡＭ１０３と、画像メモリ１０４と、データ変換部１０５と、読取制御部１０６と、読取部１０７と、操作表示部１０８と、通信制御部１０９と、解像度変換処理部１１０と、符号復号化処理部１１１と、記録制御部１１２と、ＵＳＢホスト制御部１１３と、記録部１１４と、ＰＣＭＣＩＡ  Ｉ／Ｆ制御部１１５と、データ蓄積部１１６と、デジタルカメラ１１７と、メモリカード１１８と、ＣＰＵバス１２１とを有する。
【００１９】
ＣＰＵ１０１は、システム制御部であり、画像処理装置１００の全体を制御する。
【００２０】
ＲＯＭ１０２は、ＣＰＵ１０１が実行する制御プログラムや組み込みオペレーティングシステム（ＯＳ）プログラム等を格納する。上記実施例では、ＲＯＭ１０２に格納されている各制御プログラムは、ＲＯＭ１０２に格納されている組み込みＯＳの管理下で、スケジューリングやタスクスイッチ等のソフトウエア制御を行う。
【００２１】
ＲＡＭ１０３は、ＳＲＡＭ（ｓｔａｔｉｃ  ＲＡＭ）等で構成され、プログラム制御変数等を格納し、また、オペレータが登録した設定値や画像処理装置１００の管理データ等を格納し、各種ワーク用バッファ領域が設けられている。
【００２２】
画像メモリ１０４は、ＤＲＡＭ（ｄｙｎａｍｉｃ  ＲＡＭ）等で構成され、画像データを蓄積する。
【００２３】
データ変換部１０５は、ページ記述言語（ＰＤＬ）等の解析や、キャラクタデータのＣＧ（ｃｏｍｐｕｔｅｒ  ｇｒａｐｈｉｃｓ）展開等、画像データの変換を行う。
【００２４】
読取制御部１０６は、読取部１０７が、ＣＩＳイメージセンサ（密着型イメージセンサ）によって原稿を光学的に読み取り、電気的な画像データに変換した画像信号を、図示しない画像処理制御部を介して、２値化処理や中間調処理等の各種画像処理を施し、高精細な画像データを出力する。なお、上記実施例では、読取制御部１０６は、原稿を搬送しながら読み取りを行うシート読取制御方式と、原稿台にある原稿をスキャンするブック読取制御方式の両制御方式に対応している。
【００２５】
操作表示部１０８は、数値入力キー、文字入力キー、ワンタッチ電話番号キー、モード設定キー、決定キー、取り消しキー等を備え、ユーザが画像送信相手先データの決定や登録値の設定データや省エネモードの設定の登録動作を行うための操作部と、各種キー、ＬＥＤ（発光ダイオード）とＬＣＤ（液晶ディスプレイ）等によって構成され、オペレータによる各種入力操作や、画像処理装置１００の動作状況、ステータス状況の表示等を行う表示部である。
【００２６】
通信制御部１０９は、ＭＯＤＥＭ（変復調装置）や、ＮＣＵ（網制御装置）等によって構成されている。通信制御部１０９は、アナログの通信回線（ＰＳＴＮ）１３１に接続され、Ｔ３０プロトコルでの通信制御と、通信回線に対する発呼と着呼等の回線制御とを行う。
【００２７】
解像度変換処理部１１０は、画像データのミリ−インチ解像度変換等の解像度変換制御を行う。なお、解像度変換処理部１１０は、画像データを拡大縮小処理することができる。
【００２８】
符号復号化処理部１１１は、画像処理装置１００で扱う画像データ（ＭＨ、ＭＲ、ＭＭＲ、ＪＢＩＧ、ＪＰＥＧ等）を符号復号化処理し、また、拡大縮小処理を行う。
【００２９】
記録制御部１１２は、印刷される画像データについて、図示しない画像処理制御部を介して、スムージング処理や記録濃度補正処理、色補正等の各種画像処理を施し、高精細な画像データに変換し、ＰＣＭＣＩＡ  Ｉ／Ｆ制御部１１５（後述）に出力する。また、ＰＣＭＣＩＡ  Ｉ／Ｆ制御部１１５を制御することによって、記録部１１４の状態情報データを、定期的に取得する。
【００３０】
記録部１１４は、レーザビームプリンタやインクジェットプリンタ等からなる印刷装置であり、カラー画像データ、またはモノクロ画像データを印刷部材に印刷する。ＵＳＢホスト制御部１１３とは、ＵＳＢ通信規格で定められたプロトコルで通信し、特に、記録部１１４は、ファンクションの機能を有する。
【００３１】
ＵＳＢホスト制御部１１３は、ＵＳＢ通信規格で定められているプロトコルで通信を行う制御部である。ＵＳＢ通信規格は、双方向のデータ通信を高速に行うことができる規格であり、１台のホスト（マスター）に対し、複数のハブまたはファンクション（スレーブ）を接続することができる。ＵＳＢホスト制御部１１３は、ＵＳＢ通信におけるホストの機能を有する。
【００３２】
ＰＣＭＣＩＡ  Ｉ／Ｆ制御部１１５は、ＵＳＢインタフェースの通信制御を行うものであり、ＵＳＢ通信規格に従って、プロトコル制御を行い、ＣＰＵ１０１が実行するＵＳＢ制御タスクからのデータを、パケットに変換し、外部の情報処理端末に、ＵＳＢパケット送信を行い、逆に、外部の情報処理端末からのＵＳＢパケットを、データに変換し、ＣＰＵ１０１に送信する。
【００３３】
データ蓄積部１１６は、データを蓄積するための部位である。画像メモリ１０４でのＤＲＡＭでは、データバックアップ用の領域を用意していないので、上記実施例では、データ蓄積部としてデータ保存領域を用意している。画像メモリ１０４と共有する場合もある。データ蓄積部１１６に、データのバックアップ等を行うことができる。上記実施例では、データ蓄積部１１６として、ＤＲＡＭを用いているが、ＤＲＡＭの代わりに、ハードディスクや揮発性メモリ等を使用するようにしてもよい。
【００３４】
デジタルカメラ１１７は、レンズによって撮影した画像をデジタルデータとして保存するカメラである。ＰＣＭＣＩＡ  Ｉ／Ｆ制御部１１５と接続することができ、通信を行うことによって、デジタルカメラ１１７と画像処理装置１００との間で、データのやり取りが可能になる。
【００３５】
メモリカード１１８は、データ記憶媒体であり、画像処理装置１００に接続することができる。上記実施例では、ＰＣＭＣＩＡのインタフェースで接続されているが、他のインタフェースを使用するようにしてもよい。ＰＣＭＣＩＡ  Ｉ／Ｆ制御部１１５を通して、画像のデータやその他の電子データを、メモリカード内のデータにアクセスすることができる。
【００３６】
上記実施例において、記録機能のＵＳＢ通信は、１対１の接続形態を用いる。
【００３７】
上記構成要素１０１〜１０６、１０８〜１１３は、ＣＰＵ１０１が管理するＣＰＵバス１２１を介して、相互に接続されている。
【００３８】
図２は、画像処理装置１００に設けられている操作表示部１０８の具体例を示す図である。
【００３９】
操作表示部１０８は、ＬＣＤ２０１と、電源キー２０２と、コピーモードキー２０３と、ファックスモードキー２０４と、スキャンモードキー２０５と、フォトモードキー２０６と、メニューキー２０７と、ユーザ設定キー２０８と、フォトインデックスシートキー２０９と、マイナスキー２１０と、プラスキー２１１と、セットキー２１２と、電話帳キー２１３と、リダイアルキー２１４と、テンキー２１５と、ＳＴＯＰキー２１６と、モノクロスタートキー２１７と、カラースタートキー２１８とを有する。
【００４０】
ＬＣＤディスプレイ２０１は、メッセージやオペレーションプロンプト、各種情報を表示するディスプレイである。
【００４１】
電源キー２０２は、装置の電源をＯＮ／ＯＦＦするキーである。
【００４２】
コピーモードキー２０３は、画像処理装置１００がコピーできる状態にするキーであり、コピーモードキー２０３を押下することによって、画像処理装置１００をコピーモードにすることができる。
【００４３】
ファックスモードキー２０４は、画像処理装置１００がファックスできる状態にするキーであり、ファックスモードキー２０４を押下することによって、画像処理装置１００をファックスモードにすることができる。
【００４４】
スキャンモードキー２０５は、画像処理装置１００がスキャンできる状態にするキーであり、スキャンモードキー２０５を押下することによって、画像処理装置１００をファックスモードにすることができる。
【００４５】
フォトモードキー２０６は、デジタル写真のカードやカメラからのデータに基づいて、画像処理装置１００が、ダイレクト印刷できる状態にするキーであり、フォトモードキー２０６を押下することによって、画像処理装置１００がフォトモードになる。
【００４６】
コピーモードキー２０３、ファックスモードキー２０４、スキャンモードキー２０５、フォトモードキー２０６は、それぞれがスタンバイ状態を持つ複数のモードの間でモードを切り替えるモード切替手段の例である。
【００４７】
メニューキー２０７は、コピーやファックス、カードからのダイレクト印刷等の実行時の設定値を設定する項目を表示するキーであり、メニューキー２０７を押下することによって、実行用の設定項目をＬＣＤ２０１に表示することができ、プラスキー２１１やマイナスキー２１０等を使用することによって、実行用の設定項目を選択し、セットキー２１２を使用することによって、選択された設定項目をセットする。
【００４８】
ユーザ設定キー２０８は、ユーザが装置に設定する設定値を登録する画面を表示するキーであり、ユーザ設定キー２０８を押下することによって、ユーザ設定項目をＬＣＤ２０１に表示することができ、プラスキー２１１やマイナスキー２１０等を使用して選択し、この選択されたユーザ設定項目を、セットキー２１２を使用することによってセットする。
【００４９】
フォトインデックスシートキー２０９は、フォトインデックスシートを印刷または読取するために画面に移行するキーである。画像処理装置１００にメモリカード１１８が挿入されている状態において、フォトインデックスシートキー２０９が押下されると、フォトインデックスシートの印刷、または読取を指示する画面に移行する。プラスキー２１１やマイナスキー２１０等によって、読取か印刷かを選択し、セットキー２１２でセットすることができる。なお、フォトインデックスシートの詳細については、図３で説明する。
【００５０】
マイナスキー２１０、プラスキー２１１は、メニューやユーザ登録等、ユーザが複数の選択肢から選択を行う際に使用するキーであり、マイナス、プラスは、それぞれ逆順、正順である。
【００５１】
セットキー２１２は、選択された項目を決定するキーである。電話帳キー２１３は、電話帳に登録されている電話番号を呼び出すキーである。リダイアルキー２１４は、これを押すことによって、最後にダイヤルした相手先へ再発呼するキーである。
【００５２】
テンキー２１５は、電話番号、ファクシミリ番号や相手先名称等の登録や、コピー部数やダイヤルをするときに使用するキー群である。ＳＴＯＰキー２１６は、ファクシミリ送受信、コピーやその他のオペレーション操作を停止させるキーである。
【００５３】
モノクロスタートキー２１７は、白黒ファクシミリ送信、白黒コピー等を開始するキーである。カラースタートキー２１８は、カラーファクシミリ送信、カラーコピー、カラー写真印刷等を開始するキーである。
【００５４】
図３は、上記実施例において、画像処理装置１００に使用されているＬＣＤ（表示部）２０１が表示する一例を示す図である。
【００５５】
ＬＣＤ２０１は、縦が７ドット、横が５ドットで、１キャラクタ（文字）を表示し、２０キャラクタを、１行で表示し、つまり、２０文字２行のＬＣＤであり、設定モード記憶手段に設定されているモードを表示する表示手段の例である。なお、モードとインク残量とを表示可能であれば、ＬＣＤ２０１以外の表示手段を使用するようにしてもよい。
【００５６】
まず、コピーモード画面３０１では、ＬＣＤ２０１の上段に、現在、コピーモードであることが表示されている。ユーザは、画面３０１の表示を見ることによって、現在、コピーモードであることを確認できる。また、コピーモード画面３０１において、ＬＣＤ２０１の下段には、インク残量が表示されている。ＢＬＫは、黒インク、ＣＯＬは、カラーインクを示し、それぞれ３段階で表示されている。上記実施例では、インク残量を３段階で示しているが、インク残量を表示することができれば、３段階以外でインク残量を表示するようにしてもよい。
【００５７】
コピーモードキー２０３によって、画像処理装置１００をコピーモードに設定したら、待機画面として、コピーモードのスタンバイ画面３０２が、表示部１０８に設けられているＬＣＤ２０１に表示される。
【００５８】
図４は、上記実施例において、ＬＣＤ２０１にモードを表示する動作を示すフローチャートである。
【００５９】
まず、ステップ４０１では、スタンバイを表示する。このスタンバイ表示は、以下に示すステップにおいて設定されるモードのスタンバイ表示である。
【００６０】
図３に示すコピーモードのスタンバイ画面３０２は、コピーモードに設定されたら表示される。
【００６１】
ステップ４０２では、モードキー２０３〜２０６が押下されると、モードキー２０３〜２０６のそれぞれに応じて表示を振り分け、コピーモードキー２０３が押下されたら、ステップ４０３へ進み、ＦＡＸモードキー２０４が表示されたら、ステップ４０４へ進み、スキャンモードキー２０５が表示されたら、ステップ４０５へ移動する。
【００６２】
まず、コピーキー２０３が押下されたら（ステップ４０３）、ＬＣＤ２０１の上段に、コピーモードであることを表示する。ＦＡＸモードキー２０４が押下されたら（ステップ４０４）、ＬＣＤ２０１の上段に、ＦＡＸモードであることを表示する。また、ステップ４０５では、ＬＣＤ２０１の上段にスキャンモードであることを示す。なお、これらステップ４０３、４０４、４０５では、ＬＣＤ２０１の上段に表示するとしているが、モードの状態が表示されている限り、上段以外の部位に表示するようにしてもよい。
【００６３】
次に、ステップ４０３、４０４、４０５の処理後は、ステップ４０６で、ＬＣＤ２０１の下段に、インク濃度表示を示す。ここで、下段に表示することによって、モードの情報とインク残量の情報とを、同時に一画面に表示することができる。
【００６４】
ステップ４０７において、２秒間表示を行う。これは、ステップ４０３〜４０６において表示をした内容を、ユーザに認識し易くするために、少しの時間（２秒間）を設定している。これによって、モードの画面とインク残量との情報が同時に表示されていても、両方の内容を認識することができる。なお、上記実施例では、モードの画面とインク残量との情報を２秒間、表示するが、２秒間以外の時間、表示するようにしてもよい。
【００６５】
また、上記実施例において、所定のモードが設定されているときに、モード設定手段が所定のモードを設定すると、所定のモードとインクの残量とを再び表示する。
【００６６】
図５は、上記実施例において、ＬＣＤ２０１にモードを表示する動作を示すフローチャートである。
【００６７】
まず、ステップ５０１では、スタンバイを表示する。このスタンバイ表示は、以下に示すステップにおいて設定されるモードのスタンバイ表示である。
【００６８】
図３に示すコピーモードのスタンバイ画面３０２は、コピーモードに設定されたら表示される。
【００６９】
次に、ステップ５０２では、モードキー２０３〜２０６が押下された場合に、モードキー２０３〜２０６のそれぞれに応じて表示を振り分ける。
【００７０】
もし、ステップ５０２において、コピーモードキー２０３が押下されたら、ステップ５０３へ進み、ＦＡＸモードキー２０４が表示されたら、ステップ５０４へ進み、スキャンモードキー２０５が表示されたら、ステップ５０５へ移動する。
【００７１】
まず、コピーモードキー２０３が押下されたら、ステップ５０３では、ＬＣＤ２０１の上段にコピーモードであることを表示する。ＦＡＸモードキー２０４が押下されたら、ステップ５０４では、ＬＣＤ２０１に、ＦＡＸモードであることを表示する。
【００７２】
また、ステップ５０５では、ＬＣＤ２０１の上段に、スキャンモードであることを示す。なお、ステップ５０３、５０４、５０５においてＬＣＤ２０１の上段に表示するとしているが、モードの状態が表示されている限り、ＬＣＤ２０１の上段以外の部位に表示するようにしてもよい。
【００７３】
次に、ステップ５０３、５０４、５０５での処理後は、ステップ５０６で、現在のモードがインクを使用するモードであるかどうかを判別する。もし、インクを使用するモードであれば、ステップ５０７へ移動し、もし、インクを使用しないモードであれば、ステップ５０８へ移動する。
【００７４】
ステップ５０７では、ＬＣＤ２０１の下段に、インク濃度表示を示す。ここで、ＬＣＤ２０１の下段に表示することによって、モードの情報とインク残量の情報とを、同時に一画面に表示することができる。ステップ５０８では、モードの情報とインク残量の情報とを同時に、２秒間表示する。これは、ステップ５０３〜５０５、５０７において表示した内容を、ユーザに認識しやすくするために、少しの時間（２秒間）を設定している。これによって、モードの画面情報とインク残量の情報とが同時に表示されていても、両方の内容を認識することができる。なお、上記実施例では、モードの画面情報とインク残量の情報とを２秒間、表示するが、２秒間以外の時間、表示するようにしてもよい。
【００７５】
このようにすることによって、インクを使用するモードであるときにのみ、インク残量を表示することができるので、モード切替キーを、モードキーだけでなく、インク残量確認キーとしても使用することができる。
【００７６】
つまり、上記実施例は、それぞれがスタンバイ状態を持つ複数のモードの間でモードを切り替えるモード切替手段と、設定したモードを記憶する設定モード記憶手段と、上記設定モード記憶手段に設定されているモードを表示する表示手段と、画像やテキスト等のデータを印刷する印刷手段と、インクの残量を検知するインク残量検知手段と、上記モード切替手段が、モードを切り替えた際に、上記表示部に設定されているモードと、上記インク残量検知手段が検知したインクの残量とを、上記表示手段に表示させる表示制御手段とを有する画像処理装置の例である。
【００７７】
また、上記実施例は、設定されているモードが、インクを使用しないモードであれば、インク残量を表示しない画像処理装置の例である。
【００７８】
上記実施例によれば、所定のモードの待機状態にあるときに、他のモードへの切り替えキーではなく、そのモードに切り替えるキーを押せば、インク残量が表示されるので、ユーザは、インク残量を簡単な操作で知ることができる。
【００７９】
たとえば、コピーをしようと思ったユーザが、表示部を見たところ、コピーモードになっているので、モード切替を行わずに、そのままコピー操作を実行することができ、また、インク残量を知りたい場合には、コピーモードが設定されているが、コピーモードキーを押せば、インク残量が表示され、コピー開始前にインク残量を容易に確認することができる。
【図面の簡単な説明】
【００８０】
【図１】本発明の実施例１である画像処理装置１００の概略構成を示すブロック図である。
【図２】画像処理装置１００に設けられている操作表示部１０８の具体例を示す図である。
【図３】上記実施例において、画像処理装置１００に使用されているＬＣＤ（表示部）２０１が表示する一例を示す図である。
【図４】上記実施例において、ＬＣＤ２０１に、モードを表示する動作を示すフローチャートである。
【図５】上記実施例において、ＬＣＤ２０１にモードを表示する動作を示すフローチャートである。
【符号の説明】
【００８１】
１００…画像処理装置、
１０１…ＣＰＵ、
１０８…操作表示部、
２０１…ＬＣＤ、
２０３…コピーモードキー、
２０４…ファックスモードキー、
２０５…スキャンモードキー、
２０６…フォトモードキー、
３０１…コピーモード画面、
３０２…コピーモードのスタンバイ画面。
【図１】
2005096241.tif 000003
【図２】
2005096241.tif 000004
【図３】
2005096241.tif 000005
【図４】
2005096241.tif 000006
【図５】
2005096241.tif 000007